(57)【要約】【課題】制御プログラムを所定の機能を備えたものに容易に変更する。【解決手段】画像データ伝送装置１から画像データ伝送線３を介して伝送されてくるデータを、画像出力装置２の第１記憶手段２４に一旦記憶する。第２記憶手段２７に記憶されている制御プログラムを作動させ、制御指示部２９により画像データを画像表示部２８に表示する。また、画像データ伝送装置１から駆動モード切換指示を受信することで、画像出力モードから制御プログラム書換モードに移行し、第１記憶手段２４に一旦記憶されている制御プログラムを第２記憶手段２７に書換える。【選択図】図１
2008105249.tif 000002
【特許請求の範囲】
【請求項１】
画像データ伝送線を介して伝送されるデータを一時的に保持する第１記憶手段と、全システムを制御するシステム制御部と、該システム制御部の制御プログラムを記憶する第２記憶手段と、伝送された画像データを表示する画像表示部と、前記第１記憶手段に記憶したデータを前記第２記憶手段のデータに書換える書換手段とを備えたことを特徴とする画像出力装置。
【請求項２】
前記画像データ伝送線を介して伝送し前記第１記憶手段に一時的に保持した画像データを前記画像表示部に伝送し画像出力を行う画像出力モードと、前記第１記憶手段に一時的に保持したデータを前記第２記憶手段のデータに書換える書換モードとを持ち、これら２つの駆動モードを切換える駆動モード切換手段とを有することを特徴とする請求項１に記載の画像出力装置。
【請求項３】
前記駆動モード切換手段に対して、外部からの前記駆動モードの切換えを指示する駆動モード切換指示手段を有することを特徴とする請求項２に記載の画像出力装置。
【請求項４】
前記駆動モード切換指示手段は、外部からの切換え指示を受けることを特徴とする請求項３に記載の画像出力装置。
【請求項５】
前記画像データ伝送線を介して伝送される前記データを前記画像データと前記画像データ以外のデータとを判別するデータ判別手段を備えたことを特徴とする請求項２に記載の画像出力装置。
【請求項６】
前記データ判別手段は前記画像データ伝送線を介して伝送される前記データを解析して前記データを判別することを特徴とする請求項５に記載の画像出力装置。
【請求項７】
前記第１記憶手段において、前記画像データと判別されたデータを前記第１記憶手段の第１領域に、前記画像データ以外のデータと判別されたデータを前記第１記憶手段の第２領域に、それぞれ一時的に保持する保存先切換手段を有することを特徴とする請求項１に記載の画像出力装置。
【請求項８】
前記保存先切換手段に対して、外部から前記画像データ伝送線を介して伝送される前記データを前記第１記憶手段の中の前記第１、第２領域の切換えを指示する切換指示情報送受信手段を有することを特徴とする請求項７に記載の画像出力装置。
【請求項９】
前記第１記憶手段の切換指示情報送受信手段は、外部からの切換え指示を受けることを特徴とする請求項８に記載の画像出力装置。
【発明の詳細な説明】
【技術分野】
【０００１】
本発明は、画像データ伝送線を介して伝送された画像データを画像出力部に伝送し、伝送されてくる画像を出力する画像出力装置に関するものである。
【背景技術】
【０００２】
従来から、画像出力装置としてテレビ、リアプロジェクションテレビ、フロントプロジェクタが普及している。また、ＰＣ（personal computer）の普及によりＣＲＴモニタ、液晶モニタ、そして前述の画像出力装置もＰＣに接続するＰＣモニタとして普及している。例えば特許文献１のように、画像出力装置では不揮発性メモリに記憶されているシステム全体を制御するシステム制御部の制御プログラムに基づいて、伝送される画像データが出力されるようになっている。
【０００３】
不揮発性メモリに記憶されているシステム制御部の制御プログラムは、バージョンアップされて新しい機能が付加された場合等には、必要に応じて更新されることになる。この場合に、不揮発性メモリがＲＯＭ等の取換え可能なメモリで構成されているときは、今まで使用していたメモリを新しいメモリと物理的に交換するようにしている。また、不揮発性メモリが紫外線を使う書換え可能なＵＶ−ＥＰＲＯＭや、特に電気的に書換え可能なＥＥＰＲＯＭの場合には、画像データ伝送線以外にＲＳ２３２−Ｃなどの伝送線を新たに用いて、制御プログラムはバージョンアップされる。
【０００４】
【特許文献１】特開２０００−２６３８８４号公報
【発明の開示】
【発明が解決しようとする課題】
【０００５】
（１）ところが、ＲＯＭ等のメモリを交換するには、画像出力装置を構成している筐体のカバーを取り外すなどして、内部のプリント基板が外部から見える状態にする必要がある。また、複数のＲＯＭ等のメモリが取り付けられたメモリ基板を、プリント基板の挿込コネクタから引き抜くなどして取り外す手間が必要となる。新しいメモリ基板を挿込コネクタに接触不良が生じないようにして挿し込む必要があることなどから、交換作業が煩雑になるという問題がある。
【０００６】
（２）また、第２記憶手段にＵＶ−ＥＰＲＯＭが使われている場合も、ＲＯＭ等のメモリの交換と同様に筐体のカバーを取り外し、紫外線を照射させるなどの一連の作業が必要で、手間がかかるという問題がある。
【０００７】
（３）第２記憶手段にＥＰＲＯＭが使われている場合に、ＲＯＭやＵＶ−ＰＲＯＭ等とは異なり、筐体のカバーを取り外すなどの一連の作業は必要がない。しかし、システム制御部に伝送する制御プログラムを伝送するための伝送線の接続が必要となり、伝送線の伝送速度が遅いという特性を持つ場合に、制御プログラムの書換えに時間を要するという問題がある。
【０００８】
（４）制御プログラムがバージョンアップされる毎に新機種の画像出力装置を購入するのでは、購入者にとって不経済になるという問題もある。なお、ＲＯＭ等のメモリは制御プログラムがバージョンアップされた場合にのみ交換されるものではなく、現在の機能とは異なる機能を備えた制御プログラムに変更する場合等にも交換されることになる。
【０００９】
本発明の目的は、上述の課題を解消し、制御プログラムを所定の機能を備えたものに容易に変更することができる画像出力装置を提供することにある。
【課題を解決するための手段】
【００１０】
上記目的を達成するための本発明に係る画像出力装置の技術的特徴は、画像データ伝送線を介して伝送されるデータを一時的に保持する第１記憶手段と、全システムを制御するシステム制御部と、該システム制御部の制御プログラムを記憶する第２記憶手段と、伝送された画像データを表示する画像表示部と、前記第１記憶手段に記憶したデータを前記第２記憶手段のデータに書換える書換手段とを備えたことにある。
【発明の効果】
【００１１】
本発明に係る画像出力装置によれば、システム制御部による制御プログラムの書換えは、所定の機能を備えたものに容易に変更することができる。
【００１２】
また、画像データ伝送線を介して伝送されてくるデータを第１記憶手段の第１領域と第２領域に別々に記憶すると、画像データを出力しながら制御プログラムを記憶することできる。
【００１３】
更に、駆動モード切換指示手段と第１記憶手段の切換指示情報送受信手段を備えることにより、これら手段に切換指示を与えることで、駆動モードの切換え、第１記憶手段内のデータの一時記憶領域の切換えができる。
【００１４】
画像データ線を介して伝送されるデータを画像データと画像データ以外に判別するデータ判別手段を備えることにより、画像データか画像データ以外のデータかを判別することができる。
【発明を実施するための最良の形態】
【００１５】
本発明を図示の実施例に基づいて詳細に説明する。
【実施例１】
【００１６】
図１は実施例１の画像出力装置のブロック回路構成図である。画像データ伝送装置１と画像出力のための画像出力装置２とが画像データ伝送線３を介して接続され、コマンドや情報の送受信及び画像データの送信を行うようにされている。
【００１７】
画像データ伝送装置１は全体の動作を制御するメイン処理部１１を備え、メイン処理部１１には通信処理部１２、入力装置１３、外部記憶媒体Ｍが接続された読取装置１４、画像処理部１５が接続されている。メイン処理部１１はＣＰＵ１１ａ、ハードディスク１１ｂとＲＡＭ１１ｃを内蔵し、ＣＰＵ１１ａはハードディスク１１ｂ、ＲＡＭ１１ｃと接続されている。ＣＰＵ１１ａ内には、読取指示手段１１ｄ、読取終了判別手段１１ｅ、伝送画像管理手段１１ｆ、転送指示手段１１ｇ、コマンドデータ送受信手段１１ｈ、制御プログラム伝送形式指示手段１１ｉが内蔵されている。ＲＡＭ１１ｃ内には、ディスクトップイメージ１１ｊ、一時データ１１ｋが内蔵されている。
【００１８】
通信処理部１２は画像データ伝送線３の画像データ伝送部３ａ、コマンド伝送部３ｂを介して画像出力装置２と接続されている。入力装置１３はキーボードやマウスからの入力を読み取り、読取装置１４はＵＳＢメモリ等の外部記憶媒体Ｍに記憶されている制御プログラムを読み取る。なお、外部記憶媒体Ｍに記憶されている制御プログラムは、画像出力装置２の後述するプログラムメモリに記憶されている制御プログラムを更新するためのものである。画像処理部１５は伝送する画像信号に対して所定の信号処理を行う信号処理部、画像信号を画像データに変換するＡ／Ｄ変換部、画像データの圧縮や伸張等を行う圧縮／伸張処理部、処理された画像データを記憶する画像メモリ等を備えている。
【００１９】
ＣＰＵ１１ａの読取指示手段１１ｄは、読取装置１４に対して外部記憶媒体Ｍに記憶されている制御プログラムの読取指示を与え、読取終了判別手段１１ｅは制御プログラムの読取りが終了したか否かを判断する。伝送画像管理手段１１ｆは画像出力装置２に伝送する画像を作成及び管理する。転送指示手段１１ｇは伝送画像管理手段１１ｆが作成した画像を画像出力装置２に転送する指示を与えると共に、読み取った制御プログラムや、制御プログラムを含む画像を画像出力装置２に転送する指示を与える。更に、コマンドデータ送受信手段１１ｈは画像データ伝送線３を介して画像出力装置２にコマンドの送受信を行い、制御プログラム伝送形式指示手段１１ｉは制御プログラムの伝送形式の作成を行う。
【００２０】
ハードディスク１１ｂには所定の処理プログラムが記憶され、ＲＡＭ１１ｃはデータを一時的に保存し、ＯＳのデスクトップイメージ１１ｊや一時データ１１ｋが一時的に保存される。
【００２１】
画像出力装置２には画像データ伝送部３ａ、コマンド伝送部３ｂからの画像データ、コマンドデータを送受信するインタフェース２１が設けられている。インタフェース２１の出力はメモリコントローラ２２に接続され、インタフェース２１にはコマンドデータ解釈・切換指示手段２３が接続されている。メモリコントローラ２２の出力はＲＡＭから成る第１記憶手段２４のフレームバッファ領域２４ａと、プログラム領域２４ｂとに択一的に接続され、第１記憶手段２４の出力はバスコントローラ２５に接続されている。また、コマンドデータ解釈・切換指示手段２３の出力はメモリコントローラ２２、バスコントローラ２５にそれぞれ接続されている。バスコントローラ２５の出力は、画像処理部２６と、データの書換え可能なフラッシュメモリ（フラッシュＰＲＯＭ）等から成る第２記憶手段２７とに択一的に送信され、画像処理部２６の出力は画像ディスプレイから成る画像表示部２８に接続されている。また、第２記憶手段２７の出力は、ＣＰＵから成る制御指示部２９に接続されている。
【００２２】
インタフェース２１は画像データ伝送線３と接続し、画像データ伝送装置１から伝送されてきたデータを受信し、第１記憶手段２４は伝送されてきた画像データや制御プログラムなどを一時的に記憶する。第２記憶手段２７は画像データ伝送装置１から画像データ伝送線３を介して伝送されてきた制御プログラムを記憶する。更に、画像処理部２６は伝送された画像データの解像度の変更や色処理などを行い、画像表示部２８は画像データの表示を行い、制御指示部２９は画像出力装置２の全体のシステムを制御する。
【００２３】
コマンドデータ解釈・切換指示手段２３はインタフェース２１からのコマンド伝送部３ｂからのコマンドデータを送受信し、メモリコントローラ２２とバスコントローラ２５に切換指示を発信する。メモリコントローラ２２はコマンドデータ解釈・切換指示手段２３からの保存領域切換指示により、伝送されてくるデータを第１記憶手段２４の中のフレームバッファ領域２４ａとプログラム領域２４ｂとの別々の領域に伝送する。バスコントローラ２５は第１記憶手段２４から伝送されてくるデータを、画像処理部２６に伝送し画像出力を行う画像出力モードと、第２記憶手段２７に伝送し制御プログラムの書換えを行う書換モードとを備えている。このモードはコマンドデータ解釈・切換指示手段２３からの駆動モード切換指示により切換えられる。
【００２４】
このように構成された本実施例において、画像データ伝送装置１では、送信されるデータが画像データだけで構成される場合に、ＣＰＵ１１ａの伝送画像管理手段１１ｆで画像出力装置２に送信される画像が管理される。そして、転送指示手段１１ｇから転送指示が与えられると、画像データ伝送部３ａを介してデータが画像出力装置２に向けて送信される。同時に、コマンド伝送部３ｂを介して、送信したデータの処理指示コマンドが画像出力装置２に送信される。
【００２５】
画像出力装置２では、送信されてきたコマンドデータをコマンドデータ解釈・切換指示手段２３が受信し解釈する。このコマンドを基にメモリコントローラ２２に対して、送信されてきた画像データを第１記憶手段２４のフレームバッファ領域２４ａを保存先とする保存領域切換指示を発信する。コマンドデータ解釈・切換指示手段２３はバスコントローラ２５に対しては、画像データの伝送先を画像処理部２６とし、画像出力モードで駆動する駆動モード切換指示を発信する。
【００２６】
図２は画像データ伝送装置１のプログラム伝送手段の動作フローチャート図である。先ず、オペレータが入力装置１３の所定の操作を行うと、読取指示手段１１ｄにより読取指示信号が与えられることにより、読取装置１４に接続された外部記憶媒体Ｍに記憶されている制御プログラムが読み取られる（ステップＳ１１）。なお、この読み取られた制御プログラムは、一旦ＲＡＭ１１ｃに取り込まれる。
【００２７】
次いで、制御プログラムの読み取りが終了したか否かが、読取終了判別手段１１ｅにより判別される（ステップＳ１２）。この判別結果は例えばデスクトップイメージ１１ｊとして、画像出力装置２に送信され表示される。そして、制御プログラムの読み取りが終了したことが確認され、オペレータにより入力装置１３に対する所定の操作が行われ、制御プログラム伝送形式指示手段１１ｉにより制御プログラムの伝送形式が指示される。この指示に従って、その伝送形式に対応するデータがＲＡＭ１１ｃに一旦保存される（ステップＳ１３）。ここで伝送形式とは、制御プログラムが単独で画像データ伝送線３を介して画像出力装置２に伝送されるか、デスクトップイメージなどの画像データと共に伝送されるかとのことである。
【００２８】
また、この制御プログラムの伝送形式の指示情報と駆動モード切換指示情報は、コマンドデータ送受信手段１１ｈによりコマンド形式に変換されてＲＡＭ１１ｃに一旦保存される（ステップＳ１４）。そして、オペレータが入力装置１３に対する所定の操作を行い、転送指示手段１１ｇによる転送指示を与えると、ＲＡＭ１１ｃに取り込まれている制御プログラムデータ、又は制御プログラムが含まれている画像データとコマンドデータが読み出される。次いで、これらのデータは通信処理部１２で所定の通信処理が行われ、画像データ伝送線３を介して画像出力装置２に送信される（ステップＳ１５）。これにより、プログラム伝送装置の制御プログラムの読取及び送信動作とコマンドデータの送信動作が終了する。
【００２９】
図３は制御プログラムの更新処理を行う場合の画像出力装置２の動作のフローチャート図である。画像データ伝送装置１のコマンドデータ送受信手段１１ｈからのコマンドデータを、インタフェース２１を介してコマンドデータ解釈・切換指示手段２３が受信する。そして、コマンドデータ解釈・切換指示手段２３は伝送されてくるデータのどこに制御プログラムが埋め込まれているかを解釈する（ステップＳ２１）。次いで、コマンドデータ解釈・切換指示手段２３は解釈したコマンドデータを基に、メモリコントローラ２２に対して第１記憶手段２４の保存領域切換指示を発信する（ステップＳ２２）。メモリコントローラ２２はこの保存領域切換指示に従い、伝送されてきたデータを画像データは第１記憶手段２４のフレームバッファ領域２４ａに、制御プログラムはプログラム領域２４ｂに一時的に保存する（ステップＳ２３）。
【００３０】
また、コマンドデータ解釈・切換指示手段２３は解釈したコマンドデータを基に、バスコントローラ２５に対しては駆動モード切換指示を発信する（ステップＳ２４）。バスコントローラ２５は駆動モード切換指示に従い、制御プログラムを書換モードで駆動し、第２記憶手段２７の制御プログラムの書換を行う（ステップＳ２５）。
【実施例２】
【００３１】
図４は実施例２の画像出力装置２のブロック回路構成図であり、画像データ伝送装置は実施例１と同様である。また、図１の実施例１と比較してメモリコントローラ２２’はデータ判別手段を備え、コマンドデータ解釈・切換指示手段２３からのメモリコントローラ２２’への出力が省略されている。
【００３２】
メモリコントローラ２２’は画像データ伝送線３を介して伝送されてくるデータを解析することでデータの種類を判別する。そして、伝送されてくるデータを第１記憶手段２４のフレームバッファ領域２４ａとプログラム領域２４ｂとに伝送する。
【００３３】
図５は実施例２の動作フローチャート図である。オペレータが入力装置１３に対し所定の操作を行うと、読取指示手段１１ｄにより読取指示信号が与えられることにより、読取装置１４にセットされた外部記憶媒体Ｍに記憶されている制御プログラムが読み取られる（ステップＳ３１）。なお、この読み取られた制御プログラムは一旦ＲＡＭ１１ｃに取り込まれる。
【００３４】
制御プログラムの読み取りが終了したか否かが読取終了判別手段１１ｅにより判別される（ステップＳ３２）。この判別結果は例えばデスクトップイメージ１１ｊとして画像出力装置２に表示される。そして、制御プログラムの読み取りが終了したことが確認され、オペレータが入力装置１３に対し所定の操作を行うと、制御プログラム伝送形式指示手段１１ｉにより制御プログラムの伝送形式が指示される。この指示により、その形式に対応する形のデータがＲＡＭ１１ｃに一旦保存される（ステップＳ３３）。また、駆動モード切換指示情報もコマンドデータ送受信手段１１ｈによりコマンド形式に変換されてＲＡＭ１１ｃに一旦保存される（ステップＳ３４）。
【００３５】
そして、オペレータが入力装置１３の所定の操作を行うと、転送指示手段１１ｇにより制御プログラムの転送指示が与えられ、指示コマンドデータが読み出される。この指示コマンドデータはＲＡＭ１１ｃに取り込まれている制御プログラムデータ又は制御プログラムが含まれている画像データと駆動モードに関する。次いで、これらのデータは通信処理部１２で所定の通信処理が行われ、画像データ伝送線３を介して画像出力装置２に送信される（ステップＳ３５）。これにより、プログラム伝送装置の制御プログラムの読取及び送信動作とコマンドデータの送信動作が終了する。
【００３６】
図６は制御プログラムの更新処理を行う場合の画像出力装置２の動作のフローチャート図である。先ず、データ判別機能付きメモリコントローラ２２’は、伝送されてきたデータを受信し（ステップＳ４１）、解析しデータの種類を判別する（ステップＳ４２）。次に、伝送されてきたデータの内、画像データは第１記憶手段２４のフレームバッファ領域２４ａに（ステップＳ４３）、制御プログラムはプログラム領域２４ｂにそれぞれ一時的に保持する（ステップＳ４４）。そして、バスコントローラ２５は画像データを画像表示部２８に表示する（ステップＳ４５）。
【００３７】
コマンドデータ解釈・切換指示手段２３は伝送されてきたコマンドデータを解釈し、制御プログラムが含まれている場合には、バスコントローラ２５に対してデータを第２記憶手段２７に伝送するよう駆動モード切換指示を発信する（ステップＳ４６）。バスコントローラ２５は駆動モード切換指示に従い、制御プログラム書換モードで駆動し、制御プログラムの書換を行う（ステップＳ４７）。
【実施例３】
【００３８】
図７は実施例３の画像出力装置２のブロック回路構成図である。この実施例３においては、実施例１のコマンドデータの送受信を画像データ伝送線３内のコマンド伝送部３ｂの代りに、コマンド指示インタフェース３２がコマンドデータ解釈・切換指示手段２３と接続されている。このコマンド指示インタフェース３２は外部からマニュアル入力によりコマンドを入力するようになっている。
【００３９】
この場合に、メモリコントローラ２２を実施例２のようにデータ判別手段を付加したメモリコントローラ２２’とすることもできる。
【００４０】
なお、上述の各実施例では、画像出力装置２は画像表示部２８を用いているが、画像を表示面に出力するＣＲＴやプロジェクタ等の表示部を備えたディスプレイ装置を用いたものとすることもできる。また、実施例では外部記憶媒体Ｍに記憶されている制御プログラムを読取装置１４で読み取って画像出力装置２に送信するようにしている。しかし、構内ＬＡＮ、インターネット等のネットワークを介して外部から取り込んだ制御プログラムを画像データ伝送線３を介して、画像出力装置２に送信するようにすることも可能である。
【００４１】
以上、本発明の好ましい実施例について説明したが、本発明はこれらの実施例に限定されないことは云うまでもなく、その要旨の範囲内で種々の変形及び変更が可能であり、以下に述べるような変形態様を採用することができる。
【図面の簡単な説明】
【００４２】
【図１】実施例１の画像出力装置のブロック回路構成図である。
【図２】実施例１の動作フローチャート図である。
【図３】実施例１の動作フローチャート図である。
【図４】実施例２の画像出力装置のブロック回路構成図である。
【図５】実施例２の動作フローチャート図である。
【図６】実施例２の動作フローチャート図である。
【図７】実施例３の画像出力装置のブロック回路構成図である。
【符号の説明】
【００４３】
１  画像データ伝送装置
２  画像出力装置
３  画像データ伝送線
３ａ  画像データ伝送部
３ｂ  コマンド伝送部
１１  メイン処理部
１１ａ  ＣＰＵ
１１ｂ  ハードディスク
１１ｃ  ＲＡＭ
１１ｄ  読取指示手段
１１ｅ  読取終了判別手段
１１ｆ  伝送画像管理手段
１１ｇ  転送指示手段
１１ｈ  コマンドデータ送受信手段
１１ｉ  制御プログラム伝送形式指示手段
１２  通信処理部
１３  入力装置
１４  読取装置
１５、２６  画像処理部
２２  メモリコントローラ
２３  コマンドデータ解釈・切換指示手段
２４  第１記憶手段
２４ａ  フレームバッファ領域
２４ｂ  プログラム領域
２５  バスコントローラ
２７  第２記憶手段
２８  画像表示部
２９  制御指示部
Ｍ  外部記憶媒体
【図１】
2008105249.tif 000003
【図２】
2008105249.tif 000004
【図３】
2008105249.tif 000005
【図４】
2008105249.tif 000006
【図５】
2008105249.tif 000007
【図６】
2008105249.tif 000008
【図７】
2008105249.tif 000009